Podtech/llm-jp-corpus-v4-ja_patent huggingface dataset:
(57)【要約】【課題】  所定の距離をおいて二種の異なる金属を体に接するように着用し、金属間の電位差を利用して冷え症、肩凝り、頭痛その他の婦人病等の予防、治療に役立つ疲労回復用具を提供する。【解決手段】  縦繊維と横繊維を機械的に編み上げて形成される靴下において、縦繊維１と横繊維２の何れかに複数のアルミ繊維３を混編するか、又は縦横両繊維に複数のアルミ繊維３を混編した靴下Ａと、これとは別に設けた銅等の金属からなるネックレス又はブレスレット等の装身具４を一組としたことを特徴とする疲労回復用具。【選択図】    図１
2005296561.tif 000002
【特許請求の範囲】
【請求項１】
縦繊維と横繊維を機械的に編み上げて形成される靴下において、縦繊維と横繊維の何れかに複数のアルミ繊維を混編するか、又は縦横両繊維に複数のアルミ繊維を混編した靴下と、これとは別に設けた銅等の金属からなるネックレス又はブレスレット等の装身具を一組としたことを特徴とする疲労回復用具。
【発明の詳細な説明】
【技術分野】
【０００１】  本発明はアルミ製の繊維を編み込んだ靴下と、これとは別に設けた銅製のネックレス又はブレスレット等の装身具を一組としたもので、両者を着用した際、靴下に編み込んだアルミ繊維と、銅等の装身具との間に起こる異種金属の電位差によって体の疲労回復に加え、肩の凝りや冷え症、便秘等の解消にも役立つ疲労回復用具に関するものである。
【背景技術】
【０００２】  従来、疲労回復を目的とした器具は数多く提供されており、平板又は円柱体の表面に突起物を設けたものや、指圧、マッサージを機械的に行なう器具、張り薬、灸等多種多様提供され、利用されている。
又、温泉に浸ることによって疲労を回復させり、肩凝り等各種の疾患を治す方法も広く行なわれている。
【発明の開示】
【発明が解決しようとする課題】
【０００３】  しかし、これらの器具、薬剤等は人為的に造られ、症状が発生した後に使用するもので種類によっては他人の手を借りなけばならなかった。
又、近時薬剤の種類が多く使用にあたっては症状に適、不適の判断を誤ると薬害の恐れがあることから専門医、薬剤師の判断を仰ぐ必要があった。
本発明は所定の距離をおいて二種の異なる金属を体に接するように着用し、金属間の電位差を利用して冷え症、肩凝り、頭痛その他婦人病等の予防、治療に役立つ疲労回復用具を提供することを目的とする。
【課題を解決するための手段】
【０００４】  上記目的を達成するため本発明は、縦繊維と横繊維の何れかに複数のアルミ繊維を混編するか、又は縦横両繊維に複数のアルミ繊維を混編した靴下と、これとは別に設けた銅製のネックレス又はブレスレット等の装身具を一組とした疲労回復用具である。
【発明の効果】
【０００５】  上記のように構成された本発明を実際に着用した場合次のような効果がある。
ａ．アルミ繊維が混編された靴下を履き、銅製のネックレスを着用すると、ネックレスの銅と靴下に混編されたアルミ繊維の間に電位差を生じ、この電位差によって肩凝り、腰痛、神経痛、便秘等が解消される。
ｂ．ブレスレット、ネックレスを着用し、靴下を履いたままの状態で就寝すると肩凝り、腰痛、神経痛は勿論、冷え症がなくなり、快眠が得られる。
ｃ．人手や器具を必要としないで、しかも簡単に着脱できるので誰でも手軽に利用できる。
ｄ．電位差を利用しているので体に不快臭や不快音、痛みを感じることがないので案心して使用できる。
ｅ．特に高価な材料を使用するものではなく、高度の技術を必要とするものでもないので、安価に提供できる。
【発明を実施するための最良の形態】
【０００６】  以下、本発明の実施の形態を図面に基づいて説明する。
図１は本発明の靴下布地の一部拡大平面図、図２は本発明の着用状態を示した図で、図中の符号Ａは靴下を示す。【０００７】  １は機械的に縦横の両繊維で編み上げられた靴下の縦繊維で、この縦繊維にはアルミ繊維３が混編されており、アルミ繊維３の混編量が多い程、肩凝り、腰痛、神経痛、便秘等の諸症状の解消率が高くなる。【０００８】  ２は靴下Ａの横繊維で、縦繊維１にアルミ繊維３が混編されていれば前記諸症状は解消されるが、横繊維２にアルミ繊維３を混編することによって更に高い効果が得られる。【０００９】  アルミ繊維３はアルミニュウムを前記縦繊維１、横繊維２のように繊維状にしたもので、縦繊維１，横繊維２に混編するので肌触りもよく抵抗感は全くない。【００１０】  ４は銅等の金属からなるネックレス、ブレスレット等の装身具で、導電性に優れているばかりでなく、銅そのものが安価であることから本発明の疲労回復用具が安価に提供できるため利用するもので、アルミとの電位差が大きいのが特質である。【００１１】  上記のような構成からなる本発明を実際に使用する場合は、図２に示したように装身具であるネックレスを首に掛け、靴下を履くと靴下とネックレス間に電位差が生じ、この電位差によって頭痛、肩凝り、冷え症、神経痛、便秘等が解消される。
ブレスレットも同様の効果があるが何れも速効性はないので、ある程度時間を掛けて着用することが必要である。
症状が回復した時点で装身具４（ネックレス、ブレスレット）を取り外すか、アルミ繊維の混編されてない靴下に履き替える。
【図面の簡単な説明】
【００１２】
【図１】  本発明の靴下の布地の一部拡大断面図
【図２】  本発明の使用状態を示した図
【符号の説明】
【００１３】      １  縦繊維
２  横繊維
３  アルミ繊維
４  装身具
Ａ  靴下
【図１】
2005296561.tif 000003
【図２】
2005296561.tif 000004
(57)【要約】      （修正有）【課題】限られたプールの大きさの割りに多くの泳者が同時に、又、安全に錬習ができ、水泳中には泳者の推進力が即時に測定でき、正しい泳法で筋力アップするための水泳上達用具。【解決手段】フレーム１に錘台付き滑車３と滑車４と誘導滑車５を設け、鉤部材１ａに吊設した紐２を各滑車３、４、５に通し、その紐２の先端にフックを設け、腰帯に装着した。【選択図】図１
2005296567.tif 000002
【特許請求の範囲】
【請求項１】
フレーム（１）に紐（２）と錘台付き滑車（３）と滑車（４）を設けた水泳上達用具。
【請求項２】
フレーム（１）に誘導滑車（５）を設けた請求項１の水泳上達用具。
【発明の詳細な説明】
【発明の詳細な説明】
【技術分野】
【０００１】この考案は泳者が効率よく推進力を発生させる為の測定方法で泳法の研究と筋力増強を目的とした水泳上達用具に関するものである。
【背景技術】
【０００２】従来、水泳練習方法の一つとして身体の腰にコップやソフトな容器を装着して水の抵抗を大きくし、前進を妨げた方式で筋力増強していた。
【発明が解決しょうとする課題】
【０００３】これには、次のような欠点があった。
（イ）効率的な推進力のある泳法がわからず、上達がむずかしい。
（ロ）一人に１コースを独占使用のため、プールの利用効率が悪い。
本発明は、これらの欠点を除くためになされたものである。
【課題を解決するための手段】
【０００４】フレーム（１）に錘台付き滑車（３）と滑車（４）と誘導滑車（５）を設け、鉤部材（１ａ）に吊設した紐（２）を各滑車（３）（４）（５）に通し、その紐（２）の先端にフック（６）を設け、腰帯（７）に装着する。
本発明は、以上のような構成からなる水泳上達用具である。
【発明を実施するための最良の形態】
【０００５】  以下、本発明の形態について説明する。
（イ）回動可能な土台（９）に支柱２本を離して設け、その上部の先端を連接させたフレーム（１）を設ける。
（ロ）紐（２）の片方の先端をフレーム（１）に設けた鉤部材（１ａ）に吊設し、一方の先端を、錘台付き滑車（３）に通し、ぶら下げ、又フレーム（１）上部に設けた滑車（４）と、その下に設けた誘導滑車（５）にも紐（２）を通して、その紐（２）の先端にフック（６）を設け、泳者の腰帯（７）に設けたリング（７ａ）に装着する。また誘導滑車（５）は上下移動機能も設けている。
本発明は以上のような構造で、これを使用するときは、プールの横側サイド水際に水泳上達用具を設置し、錘台付き滑車（３）の錘台に目安となる錘（３ａ）を載せ、その重力により発生した引力の紐（２）の先端フック（６）を泳者の腰帯（７）のリング（７ａ）に引掛け、引力の反対方向に泳ぎ、プール底の白線やコースロープや用具本体上部を基準に泳者の位置が前進か後退かを見て、前後しないよう適当に錘台の錘（３ａ）で調整する。又、誘導滑車（５）を上に移動すれば引力の軽減と浮力が生じることになる。
【発明の効果】
【０００６】  使用中は泳いでも前進しないのでインストラクターが教え易い。又、練習中は他の泳者と衝突の心配がない。引力で軽い浮力も発生できるので初心者向き練習方法として適している。水泳選手は泳ぐ推進力が計り易く効率の良い泳法を研究し易い。よって理想の泳法で筋力アップができる。２５ｍプールの場合、片側プールサイドに当用具を１３台分設置して、レーン片側の２コース分使用するだけで１３名が余裕のスペースで一斉に水泳練習が可能。
【図面の簡単な説明】
【図１】本発明の正面図
【図２】本発明の斜視図
【図３】本発明の斜視図
【符号の説明】
（１）    フレーム
（１ａ）  フレームに取り付けたフック
（２）    紐
（３）    錘台付き滑車
（３ａ）  重量の表示がある錘
（４）    滑車
（５）    誘導滑車
（５ａ）  誘導滑車のアーム（上下移動可能な）
（６）    紐の先端に設けたフック
（７）    腰帯
（７ａ）  腰帯に取り付けたリング
（８）    上下調整ネジ
（９）    ストッパーの受け止め具
（１０）  ストッパー位置の調整具
（１１）  転倒防止のため水の入った容器
（１２）  土台
（１３）  土台回動底板
（１４）  土台水平調整ネジ
（１５）  土台受け軸
【図１】
2005296567.tif 000003
【図２】
2005296567.tif 000004
【図３】
2005296567.tif 000005
(57)【要約】【課題】  この発明は、半身入浴用に成型し、小型、軽量化により移動を可能とし、保健衛生、介護等多様な使途に供する簡易浴槽である。【解決手段】  人体の下半身を局限的に包囲する直方体の浴槽と開口部にスライド蓋を装備する。【選択図】  図２
2005296565.tif 000002
【特許請求の範囲】
【請求項１】
腰掛けた姿勢の下半身を包囲する形状の直方体の浴槽と、開口部に入浴者の前面と脇にスライドする浴槽蓋を備えた半身入浴装置。
【請求項２】
請求項１の浴槽を、移動台上の外装体内に据え付け、下部に湯水の加熱器と排水ポンプ等を備えた半身入浴装置。
【請求項３】
請求項１の浴槽を、両足前方に伸長した姿勢の下半身を包囲する直方体の形状とし、開口部にスライド浴槽蓋を備えた平形半身入浴装置。
【発明の詳細な説明】
【発明の詳細な説明】
【０００１】  本発明は、半身入浴するために使用する専用の浴槽で、当装置単独にて屋内、屋外等で利用することのできる入浴装置に関するものである。
【背景技術】
【０００２】  最近、健康法の一つとして半身浴が行われている。これは、若年者の癒しから中高年の疲労回復、更には心肺機能に負担が掛らないため高齢者まで幅広く利用されつつある健康入浴法である。ただし、現在、半身入浴用だけに作られた浴槽はなく、既設の浴槽を利用して入浴することになる。家庭における浴室の浴槽で半身入浴を行う場合は、浴槽内の水量を減量するか、または、浴槽内に椅子を持ち込み使用する、あるいは、台の上に座ること等により水位を調節することが必要で、家族で多様に利用する場合はとくに難点となる。そして、浴室内で長時間過ごすための閉塞感の解消とか居住性の改善等が望まれる。
【発明が解決しようとする課題】
【０００３】  健康志向の強まるなかにあって、入浴の健康効果が見直されている昨今、より身近かで手軽に、かつ経済的な入浴生活を可能とすることを目的とする。
半身入浴は、上半身が湯から露出されたままの状態が比較的長時間となるため、冬季には浴室内を暖房するか、タオル等で上半身を保温する、または、シャワ−を間欠使用すること等が必要となる。
したがって、この発明は、半身入浴用の小型、軽量、かつ移動可能な浴槽装置であるため、従来と異なる環境、即ち空調完備、一般居住空間等浴室外の使用ができるので、半身入浴をはじめとして、介護入浴等多様に利用することを目的とする。
かって、わが国で行われていた腰湯方式からの展開である。
【課題を解決するための手段】
【０００４】  本発明は、腰掛けた部位と膝下の下半身を、包囲する図１のごとき形状の直方体浴槽でその開口部に入浴者の前面と脇とに、スライドする浴槽蓋を設けて成るものである。
また本発明は、浴槽を移動台上の外装体内に据え付け、下部に湯水の加熱器と排水ポンプを備えて成るものである。
更に本発明は、浴槽を、両足前方に伸長した下半身を包囲する図３のごとき平形直方体として成るものである。
本浴槽は、局限的容積で形成するため、小型軽量となり、移動可能装置として屋内外での多様な使用に供することができる。
また浴槽は、開口部のスライド蓋により、蒸気の拡散を押さえることが可能である。
【発明を実施するための最良の形態】
【０００５】  本発明の実施例を図１及び図２に基づき説明すると。
浴槽本体（１）は、腰掛けた状態の人体（３）の下半身を、包囲する形状の直方体に形成する。浴槽の下部に排水栓を設ける。浴槽の出入口である開口部には、入浴者が座った位置の前面に一枚と両脇に各一枚づつの防水板を開口部上縁に滑走させ、人体に触れる程度スライドする浴槽蓋（２）を備える。この蓋をすることにより、浴槽は気密状となり、蒸気の拡散を押さえることができる。
また、浴槽（１）は容積の局限化により小型軽量となる。したがって、図２の移動台（５）上の外装体（６）内に浴槽（１）を据え付けることができる。
外装体は浴槽の保護と保温機能を持たせ、その内部には湯水の加熱器（７）と排水ポンプ（８）を設備することにより、当半身浴装置単体にて、屋内屋外を問わず移動し使用することができる。
更に、図３で示すように、人体の下肢部を床面上に伸長した状態にした、下半身を包囲する直方体状に形成し、その開口部には図１と同様な浴槽蓋を備える。また、浴槽上面の覆い部分全体を開閉可能とすることにより、浴槽への出入りに不便をきたす下肢不自由な場合に利用することができる。介護用具としての使用が考えられる。
この浴槽にも図２の移動体、外装体、加熱器、排水ポンプ等を装備することが可能である。
また、各浴槽の上縁部に、水位センサ−を取りつけることにより、給水の調節を可能とする。  そして、浴槽の内部に、上がり湯用の小型タンクを内蔵することにより簡易シャワ−の利用を可能とする。シャワ−使用時には防水プレ−トを開口部の周囲に起立する。
浴槽蓋が入浴者の体形と符合しない場合には、タオル等を補助具として使用する。
図１の浴槽は、本装置の基本体であるが、当浴槽単体で使用の場合は、専用の脚を用いるか、または既存の椅子、車椅子等に固定し使用する。風体は椅子一脚分相当であり、浴槽の出入り口は椅子の腰掛け台の高さ程度となる。
【発明の効果】
【０００６】  本発明は、人体の下半身を局限的に包囲した容積のため、小型、軽量となり移動を可能とする。
また、浴槽の開口部にはスライドする浴槽蓋を有し、浴槽が気密状となり蒸気の拡散が防げるため、多様な場所での使用が可能となる。バスロ−ブ等による上半身着衣のまま入浴ができるので、周囲の視線を気にせず利用できこの点介護浴槽に適し、更に、従来浴室内での転倒や血圧の急変化に伴う家庭内事故等を回避することができる。
移動台と加熱器、排水ポンプ等を装備することにより、住宅据付設備ではなく入浴装置単体として、多面多様に利用することができる。
【図面の簡単な説明】
【図１】本発明の基本浴槽斜視図である。
【図２】同じく移動台上に据え付けた実施例の側面縦断面図である。
【図３】同じく平形浴槽の斜視図である。
【符号の説明】
１  浴槽
２  浴槽蓋
３  人体
４  排水栓
５  移動台
６  外装体
７  加熱器
８  排水ポンプ
【図１】
2005296565.tif 000003
【図２】
2005296565.tif 000004
【図３】
2005296565.tif 000005
(57)【要約】      （修正有）【課題】初心者から中級程度のゴルファーが、広い練習場の両端から中央までの、どの位置の打席で打っても、常に自分のアドレス位置が、ターゲット方向に正確に向けられているかを認識するための器具を提供する。【解決手段】光源から発射された光線を、プリズムなどで分割し、それをレンズなどを通して拡大してから、練習場などの打席面に投影し、どの方向の目標に対しても正しいアドレス位置が容易に確立でき、ショットの際にも、打席内に連続的に映しておいても障害にならないし、消えることも移動することもなく、随時に点滅させることで、目標方向に対する勘を養う訓練ができる、ゴルフ練習用アドレス方向指図器である。【選択図】図１
2005296564.tif 000002
【特許請求の範囲】
【請求項１】
１つの光線をプリズムなどに当てて分割し、それをレンズなどを通して拡大してから、練習場の打席面に投影し、どの方向の目標に対しても、正しいアドレス位置が容易に確立できるように訓練するための、ゴルフ練習用アドレス方向指図器である。
【発明の詳細な説明】
【技術分野】
【０００１】  本発明は、主にゴルフ練習場における左右両端付近での打席で、ティアップされたボールが飛球線前方のターゲットと自分が正対しているかを、光線などを使って確認するためのゴルフ練習用器具に関するものである。
【背景技術】
【０００２】  従来、ゴルフ練習で確認する時は誰かに見てもらう、姿勢を崩さずクラブなどを胸や肩に当てるか、つま先に置き自分で後方に廻って、クラブ先端がターゲット方向に正しく向いているか確認したり、小さな長方形のマットに白線が引かれたものを使用したり、小さなゴミや毛糸などの目標物を飛球線上に数個置いて、正しいアドレス位置を確認する方法であった。
【発明の開示】
【発明が解決しようとする課題】
【０００３】  それらには、次のような欠点があった。
（イ）後方から見てもらうには、自分ひとりではできない。
（ロ）クラブ等を、胸やつま先に当てている間に狂いが生じる
（ハ  クラブ等を、スイング軌道に置くと接触して障害になる。
（ニ）小さな目標物ではスイングした時にいつの間にか無くなっている。
（ホ）長方形のマットでは、ショットの度に動いてしまう。
本発明は、これらの問題点を解決するためになされたものである。
【課題を解決するための手段】
【０００４】  光源から発光された光線を、プリズムで分割し、それをレンズなどで拡大し練習場の打席面に投影して、どの方向の目標に対しても、正しいアドレスが容易にとれて、ショットの際には邪魔にならないし、消えることも移動することもなく、また随時に点滅させることで、目標方向に対する勘を養うための訓練ができる、ゴルフ練習用アドレス方向指図器である。
【発明の効果】
【０００５】  この器具を使用することで、スイング時に邪魔にならないし、３本の光線は、目標方向、ボールの置く位置、アドレス時のつま先が示されるので、これらの光線に合わせるだけで余分な動作が省ける。
自分で意識してフックやスライスを打ちたい時、クローズやオープンスタンスで立つ目安が光線を見ることによって容易になる。
電源は、持ち運びも可能なものであるから、素振り練習ができる場所ならこの器具を利用できる。
【発明を実施するための最良の形態】
【０００６】（イ）  この器具本体（１）は、光源（２）から発射された光線を、プリズム（３）などを使って２本の平行線と、それに１本が垂直に交差する形の光線（４）に分割し、それを拡大レンズ（５）で拡大し、その光線を（６）を練習場打席面（７）に映し出す形態のものであり、ショットの邪魔にならない位置に置く。
（ロ）  本体は持ち運びが可能であり、光線の幅は線が確認できる位の細い線で、色は昼夜、晴雨時を問わず確認できる薄い色のものである。
（ハ）  図２は打席面に投影された光線で、ドライバーショットを基準にした場合のもので、１本目の上の平行線（８）は、目標方向を指し、２本目の下の平行線（９）は、両足つま先線を指し、３本目の垂直線（１０）は、（８）との交点（１１）でボールの置かれている位置を指し、（９）との交点（１２）で左足かかと内側線上を指し、（９）は、身長差などで、前後（１９）に移動することもできる。
（ニ）  本体（１）の目標方向を任意に変化させたり、随時に点滅させることを繰り返すことで、正しいアドレス位置の勘を養うことができ、意識してスライスやフックボールを打ちたい時、光線を目安にしてスタンスをとれば容易に打てる。
（ヘ）  図３は初級から中級レベルの人が左端打席付近で練習する場合で、自分が目標とする左端目標（１６）と実際の打席の向き（１５）との角度のズレ（１７）を示したもので、この少しのズレが、数百ヤード先のターゲットでは扇形に開いた広い範囲で、大きな誤差となっているのが分かる。
（ホ）  図５は、左端打席を拡大したもので、図６は打席内で目標方向を、ボールが置かれている交点（１１）を基点にして数ミリずらした場合、３本の光線は１つの形として固定されているので、１本目（８）の目標光線がターゲットからずれて左右に変化すると、２本目（９）、３本目（１０）の光線も同様に動くから、交点（１２）の位置も同様に変化し（１８）、それに合わせてアドレス位置も同じように変化させなければならないことがわかる拡大図である。
（ト）  この数ミリの変化を見逃さないことがスコアメイクの鍵となる大事なことであり、そのためには常に変化した方向にアドレスの向きが正対できるように本体を設けることによって解決するものである。
【図面の簡単な説明】
【０００７】
【図１】本発明のアドレス方向指図器本体の斜視図
【図２】本発明の光線拡大図
【図３】本発明の練習場打席見取り図
【図４】本発明の中央打席拡大図
【図５】本発明の左端打席からの目標中央部拡大図
【図６】本発明の左端打席からの目標左端部拡大図
【符号の説明】
【０００８】１    光線発射装置本体
２    光線光源
３    光線分割用プリズム
４    分割後光線
５    拡大レンズ
６    拡大後光線
７    練習場打席（人工芝など）
８    光線（６−１）目標設定平行光線
９    光線（６−２）つま先設定平行光線
１０  光線（６−３）垂直光線
１１  交点１（ボール位置）
１２  交点２（左足内側かかと線上）
１３  練習場中央打席
１４  練習場左端付近打席
１５  中央打席目標
１６  左端打席目標点
１７  角度
１８  交点のズレ
１９  （９）の移動可能方向
【図１】
2005296564.tif 000003
【図２】
2005296564.tif 000004
【図３】
2005296564.tif 000005
【図４】
2005296564.tif 000006
【図５】
2005296564.tif 000007
【図６】
2005296564.tif 000008
(57)【要約】      （修正有）【課題】物干しハンガーに取り付けられているピンチが、ピンチ同士お互いに又はハンガー本体と絡まり合わないようにするために、ネットのカバー付きピンチを提供する。【解決手段】物干しハンガー本体からの、ピンチ１の吊下げ用具２にネット３を取り付け、つまみ７をカバーする。【選択図】図１
2005296601.tif 000002
【特許請求の範囲】
【請求項１】
物干しハンガー本体（９）からの、ピンチ（１）の吊下げ用具（２）に、ネット（３）を取り付け、つまみ（７）をカバーする、ネットのカバー付きピンチ。
【発明の詳細な説明】
【技術分野】
【０００１】  この発明は、物干しハンガーのピンチのつまみ部分をカバーするために、ネットを装着させた、ネットのカバー付きピンチに関するものである。
【背景技術】
【０００２】  従来は、ピンチにカバーなどはなく、本体そのものだけで使用されていた。
【発明の開示】
【発明が解決しようとする課題】
【０００３】  これには次のような欠点があった。
（イ）物干しハンガーに取り付けられているピンチは、つまみ部分が原因で、ピンチ同士、又はハンガー本体と非常に絡まりやすく、使用時にはまず、絡まり合ったピンチをほどく作業が必要とされ、大変な手間がかかっていた。
（ロ）ピンチの絡まりは、プラスチック製の物干しハンガーにとっては、破損の原因の１つになっていた。
（ハ）すぐに絡まり合うため、折りたたんだり、重ね合わせたりの収納・保管には、大変不便であった。
本発明は、これらの欠点を除くためになされたものである。
【課題を解決するための手段】
【０００４】  物干しハンガー本体（９）からの、ピンチ（１）の吊下げ用具（２）に、ネット（３）を取り付ける。そして、つまみ（７）をカバーする。
本発明は、以上のような構成よりなる、ネットのカバー付きピンチである。
【発明の効果】
【０００５】  本発明により、ピンチ同士がお互いに、又はハンガー本体と絡まり合う、という状態を未前に防ぐことができる。それによって、無駄な作業時間を取り除くことができ、収納時にも安心して折りたたんだり、複数を一緒に重ね合わせることができて、便利である。しかも、他の物干しハンガーと並べて、物干し竿などに吊下げたままにしておいても、風に吹かれて絡まり合うこともなくなる。
つまみの先端（８）にまで、ネットをかけないことにより、ネットについたホコリなどで、洗濯物（１１）を汚す心配も、ネットごとはさみ込んで、干す時のじゃまになったりすることもない。ネットは汚れても、本体ごと洗え、乾きも早い。
【発明を実施するための最良の形態】
【０００６】  以下、本発明の実施の形態について説明する。
（イ）物干しハンガーに取り付けられている、ピンチ（１）に、あらかじめ筒状にしてある、ネット（３）を、裾（６）側から通し、ピンチの上部で、余り端（５）を少し残して、固定用具（４）で、吊下げ用具（２）に止める。
（ロ）固定用具（４）が、ネット（３）の内側にくるように、裾（６）側を、ピンチ（１）にかぶせながらひっくり返し、つまみ（７）をカバーする。その時、ピンチのつまみ先端（８）がネットから出るように、裾（６）の長さは調節しておく。
本発明は、以上のような構成で、これを使用するときは、ネットの上からピンチを指先でつまみ、洗濯物をはさむ。はずす時も同様、ネットの上からピンチをつまんではずす。収納時にも、ネットのカバーは付けたままの状態で行う。
網目がすべり止めにもなるので、ネットのカバー越しに、つまみ（７）をつまんでも、指先にかかる力は、今までと何ら変わりなく使用することができる。
ネットの固定用具（４）を、取り付け、取りはずしの自由な物にしておけば、万が一、ネットが破れたり、古くなったりした場合でも、ネットのカバーのみを新しい物と交換でき、便利である。
尚、物干しハンガーの種類によっては、吊下げ用具（２）が、ひも状の物であったり、くさり状の物であったり、ビニール製、プラスチック製、金属製であったりする。又、その取り付け方が、ピンチのつまみ（７）のどちらか一方に接続されている形式の物もあるが、いずれの場合でも、ネットの装着方法、使用方法は、同じである。
【図面の簡単な説明】
【０００７】
【図１】  本発明の斜視図である。
【図２】  本発明のネット装着方法を示す斜視図である。
【図３】  本発明の使用状態を示す斜視図である。
【符号の説明】
１  ピンチ
２  吊下げ用具
３  ネット
４  固定用具
５  余り端
６  裾
７  つまみ
８  つまみの先端
９  物干しハンガー本体
１０  指先
１１  洗濯物
【図１】
2005296601.tif 000003
【図２】
2005296601.tif 000004
【図３】
2005296601.tif 000005
(57)【要約】      （修正有）【課題】麻雀を一枚の紙に記し、手書きによる繰り返して行う、簡単に麻雀を楽しめる。麻雀を知って規まりを知っている人達の一人で出来る麻雀ゲームを提供する。【解決手段】麻雀ゲームをシャーペンシルと消しゴムで繰り返し行うことにより破れるので三枚をユニットとして説明書を付け進行安易な方法でまとめた物。【選択図】図１
2005296602.tif 000002
【特許請求の範囲】
【請求項１】
麻雀を紙に記録し、一人で麻雀をする麻雀上達紙
【発明の詳細な説明】
【技術分野】
【０００１】  本発明は、麻雀ゲームを紙にまとめた、シャーペンと消しゴムで麻雀ゲームができます。
［背景技術］【０００２】  麻雀というゲームは、麻雀台に四人で囲み、手でパイを取るゲームですが、私の考案したシャーペンと消しゴムＪ麻雀は、一人で出来る麻雀ゲームです。
［発明の開示］
［発明の詳細な説明］  私の考案した物は、下段、赤ワクの麻雀パイの表示にパイ総数１３６個を１から１３６まで麻雀パイを混ぜた後の様にバラバラに数字を書き表し、中段、青ワクに東場か南場を書く、その下ワクに東家、南家、西家、北家を書き、そして、年、月、日、時、分を合計した数が東家の第一ツモになり、そのパイから格格準に書いていく。
［発明が解決しようとする課題］【０００３】  麻雀は一人で本格的に出来るものではなく、同じ遊び方で音も立てずに上達できるかです。
［課題を解決する為の手段］【０００４】  私の発明した物は、麻雀台もいらず、一人で静かに出来る麻雀です。
［発明の効果］【０００５】  私の発明した物で、麻雀の一面だけでなく全てを理解してもらえる。一人で静かに上達出来る。
［発明を実施する為の最良の形態、実施例］【０００６】［実施例１］  私の発明した物を三枚を一冊に説明書を付け販売していく。
【図面の簡単な説明】［図１］  私の発明の１／３縮図、麻雀ゲームです。
【符号の説明】
１  東場又は南場
２  場所決め、東、南、西、北
３  パイ総数１３６を１から１３６まで麻雀パイを混ぜた後の様に数字を書く。
４  第一ツモ番号
【図１】
2005296602.tif 000003
(57)【要約】【課題】バーナを備えた加熱炉等の各種燃焼設備から発生するＮＯｘを低コストで適切に低減することができる低ＮＯｘ燃焼方法を提供する。【解決手段】加熱炉等の燃焼設備１において、燃焼空気ブロア３によって送られてきた燃焼空気を空気予熱器４で排ガスとの熱交換によって２００〜６００℃に予熱した後、燃焼空気をバーナ２に供給する燃焼空気配管１１に取り付けた加湿装置６から燃焼空気配管１１内に水を吹き込み、前記の予熱された燃焼空気を加湿する。【選択図】図１
2005241184.tif 000002
【特許請求の範囲】
【請求項１】
バーナを備えた加熱炉等の燃焼設備から発生するＮＯｘを低減するための低ＮＯｘ燃焼方法であって、燃焼設備からの排ガスと熱交換して予熱された燃焼空気に水又は水蒸気を吹き込んで燃焼空気を加湿し、その加湿された燃焼空気をバーナに供給することを特徴とする低ＮＯｘ燃焼方法。
【請求項２】
請求項１に記載の低ＮＯｘ燃焼方法において、燃焼設備からの排ガス中のＮＯｘ濃度を測定し、測定されたＮＯｘ濃度に応じて、燃焼空気への水又は水蒸気の吹き込み量を調整することを特徴とする低ＮＯｘ燃焼方法。
【発明の詳細な説明】
【技術分野】
【０００１】
本発明は、バーナを備えた加熱炉等の各種燃焼設備から発生するＮＯｘを低減するための低ＮＯｘ燃焼方法に関するものである。
【背景技術】
【０００２】
従来、加熱炉等の各種燃焼設備から排出されるＮＯｘ（窒素酸化物）を低減するための低ＮＯｘ化技術（脱硝技術）としては、
（１）触媒を用いた低ＮＯｘ化技術（例えば、特許文献１参照）
（２）尿素を添加する無触媒の低ＮＯｘ化技術（例えば、特許文献２参照）
（３）バーナ先端の火炎内に水又は水蒸気を添加して燃焼温度を低く抑える低ＮＯｘ化技術（例えば、特許文献３参照）
が知られている。
【特許文献１】特開２００１−０７９３９４号公報
【特許文献２】特開平０８−１４１３６３号公報
【特許文献３】特開平０９−１０１００６号公報
【発明の開示】
【発明が解決しようとする課題】
【０００３】
しかし、前記特許文献１に記載の触媒を用いた低ＮＯｘ化技術は、ＮＯｘ低減率が７０％以上と高い脱硝効果が得られるが、高価である。
【０００４】
また、前記特許文献２に記載の尿素を添加する低ＮＯｘ化技術は、４０〜７０％のＮＯｘ低減率が得られるが、その効果を得るためには、９００℃付近の高温状態で尿素を添加する必要があるという制約がある。
【０００５】
また、前記特許文献３に記載のバーナ先端の火炎内に水又は水蒸気を添加する低ＮＯｘ化技術は、それぞれのバーナに水又は水蒸気を供給する設備が必要になることから、設備構成が複雑になるとともに設備コストも要する。
【０００６】
一方、条例等によってＮＯｘ排出量の総量規制が行われるようになってきており、その基準を満足するために必要とされるＮＯｘ低減率を比較的低コストで適切に得ることができる低ＮＯｘ化技術が求められている。
【０００７】
本発明は、上記のような事情に鑑みてなされたものであり、バーナを備えた加熱炉等の各種燃焼設備から発生するＮＯｘを低コストで適切に低減することができる低ＮＯｘ燃焼方法を提供することを目的とするものである。
【課題を解決するための手段】
【０００８】
上記課題を解決するために、本発明は以下の特徴を有する。
【０００９】
［１］バーナを備えた加熱炉等の燃焼設備から発生するＮＯｘを低減するための低ＮＯｘ燃焼方法であって、燃焼設備からの排ガスと熱交換して予熱された燃焼空気に水又は水蒸気を吹き込んで燃焼空気を加湿し、その加湿された燃焼空気をバーナに供給することを特徴とする低ＮＯｘ燃焼方法。
【００１０】
［２］前記［１］に記載の低ＮＯｘ燃焼方法において、燃焼設備からの排ガス中のＮＯｘ濃度を測定し、測定されたＮＯｘ濃度に応じて、燃焼空気への水又は水蒸気の吹き込み量を調整することを特徴とする低ＮＯｘ燃焼方法。
【発明の効果】
【００１１】
本発明では、水又は水蒸気を吹き込んで加湿した燃焼空気をバーナに供給するようにしているので、燃焼温度を低くしてＮＯｘの発生を適切に抑えることができるとともに、それぞれのバーナ毎に水又は水蒸気を供給する必要がないため簡易な装置で済み設備コストも安価であり、ＮＯｘの発生を低コストで適切に低減することができる。
【発明を実施するための最良の形態】
【００１２】
本発明に係る低ＮＯｘ燃焼方法の一実施形態を、図１を参照しながら説明する。
【００１３】
図１において、１は加熱炉等の燃焼設備であり、多数のバーナ２（図中では３個）を備えている。それぞれのバーナ２には、燃料が燃料配管１０によって供給され、燃焼空気が燃焼空気配管１１によって供給されている。バーナ２での燃焼によって生じた排ガスは、排ガス配管１２を経由して空気予熱器４（熱交換器）に送られ、燃焼空気ブロア３によって送られてきた燃焼空気を２００〜６００℃に予熱した後、煙突５から大気に放出される。
【００１４】
そして、この実施形態においては、上記の予熱された燃焼空気をバーナ２に供給する燃焼空気配管１１に加湿装置６を取り付け、加湿装置６から燃焼空気配管１１内に水を吹き込み、予熱された燃焼空気を加湿するようにしている。加湿装置６からの水の吹き込みは、水のみを吹き込む１流体ノズル又は水を圧縮空気とともに吹き込む２流体ノズルによって行う。その際に、燃焼空気が予熱されていることから、配管内の結露は防止される。
【００１５】
上記のような構成に基づいて燃焼させることにより、バーナ２での燃焼温度を低くしてＮＯｘの発生を適切に抑えることができるとともに、それぞれのバーナ２毎に水を供給する配管を備える必要がなく、簡易な装置で済むことから設備コストが安価となる。したがって、ＮＯｘの発生を低コストで適切に低減することができる。
【００１６】
さらに、排ガス中のＮＯｘ濃度を測定するＮＯｘ濃度測定器を煙突７の下部に設け、ＮＯｘ濃度の測定値と、燃料及び燃焼空気の流量に応じて、目標のＮＯｘ濃度が得られるように加湿装置６からの水の吹き込み量を制御するようにすれば一層効果的である。
【００１７】
また、上記では、加湿装置６から水を吹き込んでいるが、水蒸気を吹き込むことでも同様の効果が得られる。
【００１８】
ちなみに、この実施形態に係る低ＮＯｘ燃焼方法を、鋼材の加熱炉に適用したところ、５〜４０％のＮＯｘ低減率を得ることができた。
【図面の簡単な説明】
【００１９】
【図１】本発明の一実施形態の説明図である。
【符号の説明】
【００２０】
１  燃焼設備
２  バーナ
３  燃焼空気ブロア
４  空気予熱器
５  煙突
６  加湿装置
１０  燃料配管
１１  燃焼空気配管
１２  排ガス配管
【図１】
2005241184.tif 000003
(57)【要約】【課題】  従来のごみ焼却設備はランニングコストがかかる点である。【解決手段】ごみを収納するピット１と、ピット１内のごみを焼却するごみ焼却炉２と、焼却炉２に連通されてこれからの排ガスを冷却する排ガス冷却設備３と、排ガス冷却設備３の下流側に接続され触媒を坦持可能なフィルタを用いた集塵機４と、集塵機４から排出される排ガスの窒素酸化物の含有量を計測する計測手段５と、ピット１内で発生したアンモニアガスを集塵機４に誘導する誘導管６と、誘導管６に配設されてアンモニアガスの流量を制御する流量制御弁７と、計測手段５の計測結果に基づき流量制御弁７にこれの開口度の指令を発信する制御手段と、をを備えたことを特徴とする。【選択図】      図１
2005241115.tif 000002
【特許請求の範囲】
【請求項１】
ごみを焼却するとともにごみの焼却によって生じた排ガスを脱硝して排出する設備であって、
ごみを収納するピットと、
このピット内のごみを焼却するごみ焼却炉と、
この焼却炉に連通されてこれからの排ガスを冷却する排ガス冷却設備と、
この排ガス冷却設備の下流側に接続され触媒を坦持可能なフィルタを用いた集塵機と、
この集塵機から排出される排ガスの窒素酸化物の含有量を計測する計測手段と、
前記ピット内で発生したアンモニアガスを前記集塵機に誘導する誘導管と、
この誘導管に配設されてアンモニアガスの流量を制御する流量制御弁と、
前記計測手段の計測結果に基づき前記流量制御弁にこれの開口度の指令を発信する制御手段と、
を備えたことを特徴とするごみ焼却設備。
【発明の詳細な説明】
【技術分野】
【０００１】
本発明はごみを焼却するとともにごみの焼却によって生じた排ガスを脱硝して排出する設備の改良に関する。
【背景技術】
【０００２】
従来のこの種のごみ焼却設備は、一般に、図２に示すように、ピット２１内に投入されたごみをごみ焼却炉２２によって焼却するとともに、焼却炉２２からの排ガスを排ガス冷却設備２３によって冷却した後集塵機２４に誘導して粉塵を除去し、続いて、集塵機２４からの排ガスを触媒反応塔２５によって脱硝して排出するようにしている。そして、集塵機２４からの排ガスに含有される窒素酸化物の量を計測手段２６によって計測するとともに、別途設けたアンモニア注入装置２７からのアンモニアガスを、計測手段２６の計測結果に基づき流量制御弁２８によって流量を制御しながら触媒反応塔２５に供給している。
【０００３】
しかし、このように構成された従来のごみ焼却設備は、脱硝用のアンモニアガスを常に供給する必要があるため、ランニングコストがかかる。
【非特許文献１】「燃焼生成物の発生と抑制技術」 幸村明憲著  株式会社 テクノシステム  １９９７年
【発明の開示】
【発明が解決しようとする課題】
【０００４】
解決しようとする問題点は、従来のごみ焼却設備はランニングコストがかかる点である。
【課題を解決するための手段】
【０００５】
上記の課題を解消するために本発明におけるごみ焼却設備は、ごみを焼却するとともにごみの焼却によって生じた排ガスを脱硝して排出する設備であって、ごみを収納するピットと、このピット内のごみを焼却するごみ焼却炉と、この焼却炉に連通されてこれからの排ガスを冷却する排ガス冷却設備と、この排ガス冷却設備の下流側に接続され触媒を坦持可能なフィルタを用いた集塵機と、この集塵機から排出される排ガスの窒素酸化物の含有量を計測する計測手段と、前記ピット内で発生したアンモニアガスを前記集塵機に誘導する誘導管と、この誘導管に配設されてアンモニアガスの流量を制御する流量制御弁と、前記計測手段の計測結果に基づき前記流量制御弁にこれの開口度の指令を発信する制御手段と、を備えたことを特徴とする。
【０００６】
このように構成されたものは、ピット内に投入されたごみをごみ焼却炉によって焼却するとともに、焼却炉からの排ガスを排ガス冷却設備によって冷却した後集塵機に誘導して粉塵を除去するとともに、排ガスを脱硝して排出する。そして、集塵機からの排ガスに含有される窒素酸化物の量を計測手段によって計測するとともに、計測手段の計測結果に基づく流量制御弁の作動によりその流量を制御しながら、ピット内で発生したアンモニアガスを集塵機に供給する。
【発明の効果】
【０００７】
本発明は、ごみを焼却するとともにごみの焼却によって生じた排ガスを脱硝して排出する設備であって、ごみを収納するピットと、このピット内のごみを焼却するごみ焼却炉と、
この焼却炉に連通されてこれからの排ガスを冷却する排ガス冷却設備と、この排ガス冷却設備の下流側に接続され触媒を坦持可能なフィルタを用いた集塵機と、この集塵機から排出される排ガスの窒素酸化物の含有量を計測する計測手段と、前記ピット内で発生したアンモニアガスを前記集塵機に誘導する誘導管と、この誘導管に配設されてアンモニアガスの流量を制御する流量制御弁と、前記計測手段の計測結果に基づき前記流量制御弁にこれの開口度の指令を発信する制御手段と、を備えたから、従来のこと種の設備と比較してランニングコストが安いなどの優れた実用的効果を奏する。
【発明を実施するための最良の形態】
【０００８】
以下、本発明を適用した最良の形態について、図１に基づき詳細に説明すると、本ごみ焼却設備は、ごみを収納するピット１と、このピット１内のごみを焼却するごみ焼却炉２と、この焼却炉２に連通されてこれからの排ガスを冷却する排ガス冷却設備３と、この排ガス冷却設備３の下流側に接続され触媒を坦持可能なフィルタを用いた集塵機４と、この集塵機４から排出される排ガスの窒素酸化物の含有量を計測する計測手段５と、前記ピット１内で発生したアンモニアガスを前記集塵機４に誘導する誘導管６と、この誘導管６に配設されてアンモニアガスの流量を制御する流量制御弁７と、前記計測手段５の計測結果に基づき前記流量制御弁７にこれの開口度の指令を発信する制御手段（図示せず）と、で構成してある。
【０００９】
このように構成したものは、ピット１内に投入されたごみをごみ焼却炉２によって焼却するとともに、焼却炉２からの排ガスを排ガス冷却設備３によって冷却した後集塵機４に誘導して粉塵を除去するとともに、排ガスを脱硝して排出する。そして、集塵機４からの排ガスに含有される窒素酸化物の量を計測手段５によって計測するとともに、計測手段５の計測結果に基づく流量制御弁７の作動によりその流量を制御しながら、ピット１内で発生したアンモニアガスを集塵機４に供給する。
【図面の簡単な説明】
【００１０】
【図１】本発明の最良の形態のブロック図である。
【図１】従来のごみ焼却設備のブロック図である。
【符号の説明】
【００１１】
１  ピット
２  ごみ焼却炉
３  排ガス冷却設備
４  集塵機
５  計測手段
６  誘導管
７  流量制御弁
【図１】
2005241115.tif 000003
【図２】
2005241115.tif 000004
【手続補正書】
【提出日】平成16年3月12日(2004.3.12)
【手続補正２】
【補正対象書類名】明細書
【補正対象項目名】００１０
【補正方法】変更
【補正の内容】
【００１０】
【図１】本発明の最良の形態のブロック図である。
【図２】従来のごみ焼却設備のブロック図である。
(57)【要約】【課題】  従来の電気炉は、発熱体の一部を炉壁に埋め込んで発熱体を炉壁に固定していたので熱効率が悪いという欠点があった。【解決手段】  本発明の電気炉は炉壁と、上記炉壁内面に配置した発熱体とよりなる電気炉において、上記炉壁内面に溝を設け、上記発熱体を上記溝の幅より小さい振幅の波形とし上記溝内に配置し、上記発熱体の波高部に発熱体支持ピンを固定し、上記溝の側壁に上記発熱体支持ピンを埋め込んだことを特徴とする。【選択図】  図１
2005241135.tif 000002
【特許請求の範囲】
【請求項１】
炉壁と、上記炉壁内面に配置した発熱体とよりなる電気炉において、上記炉壁内面に溝を設け、上記発熱体を上記溝の幅より小さい振幅の波形とし上記溝内に配置し、上記発熱体の波高部に発熱体支持ピンを固定し、上記溝の側壁に上記発熱体支持ピンを埋め込んだことを特徴とする電気炉。
【発明の詳細な説明】
【技術分野】
【０００１】
本発明は電気炉、特に熱効率のよい電気炉に関するものである。
【背景技術】
【０００２】
図３は従来の電気炉の炉壁の一部を示し、１はセラミックファイバー等よりなる断熱炉壁、２は上記断熱炉壁１の内面に一定間隔互いに離間して設けた複数の溝、３は上記溝２の幅より大きい振幅の波形に形成した電気抵抗発熱体であり、上記電気抵抗発熱体３を上記溝２の底４から一定の距離離間した位置で、上記電気抵抗発熱体３の波高部５を上記溝２の両側壁６，６に埋め込み上記炉壁１に固定せしめている。
【０００３】
上記従来の電気炉においては、上記電気抵抗発熱体３を上記溝２の底４から一定の距離離間して上記断熱炉壁１の溝２内に固定したので、溝２の底４に電気抵抗発熱体を配置して固定したものに比べて、電気抵抗発熱体３の露出表面を多くとることができ、加熱効率を良くすることができ、また、抵抗発熱体の過熱を少なくして長寿命とすることができる。
【０００４】
このような電気炉としては、特許文献１に示すようなものがある。
【特許文献１】特開平１０−１２３６１号公報（図１）
【発明の開示】
【発明が解決しようとする課題】
【０００５】
然しながら、上記従来の電気炉においてもなお放熱ロスを少なくするには不十分であった。
【０００６】
本発明は上記の欠点を除くようにしたものである。
【課題を解決するための手段】
【０００７】
本発明の電気炉は、炉壁と、上記炉壁内面に配置した発熱体とよりなる電気炉において、上記炉壁内面に溝を設け、上記発熱体を上記溝の幅より小さい振幅の波形とし上記溝内に配置し、上記発熱体の波高部に発熱体支持ピンを固定し、上記溝の側壁に上記発熱体支持ピンを埋め込んだことを特徴とする。
【発明の効果】
【０００８】
本発明の電気炉によれば、電気抵抗発熱体の表面全体を断熱材の外に露出せしめることができるので熱効率を高めることができ、また、電気抵抗発熱体の過熱を少なくして長寿命とすることができるという大きな利益がある。
【０００９】
また、電気抵抗発熱体は後付で支持ピンで固定することができるので、安価、簡便、確実に電気抵抗発熱体を炉壁に固定することができる。
【発明を実施するための最良の形態】
【００１０】
以下図面によって本発明の実施例を説明する。
【実施例１】
【００１１】
本発明の電気炉においては、図１及び図２に示すように、断熱炉壁１の内面に一定間隔互いに離間して設けた複数の溝２の幅より小さい振幅のジグザグ状や波状に上下に連続して折り曲げた波形の電気抵抗発熱体３を用い、上記電気抵抗発熱体３の各波高部５に夫々外方に突出した耐熱性の支持ピン７をスタッド溶接し、上記支持ピン７を上記溝２の両側壁６，６に埋め込み上記電気抵抗発熱体３を上記溝２内で上記溝２の底４から一定の距離離間した位置で上記炉壁１に固定せしめる。
【００１２】
本発明の電気炉においては、電気抵抗発熱体３の表面全体を断熱材の外に露出せしめることができるので熱効率を高めることができ、また、電気抵抗発熱体の過熱を少なくすることができるので長寿命とすることができる。
【００１３】
また、電気抵抗発熱体３は後付で支持ピン７を固定すればよいので、安価、簡便、確実に電気抵抗発熱体３を炉壁１に固定することができる。
【００１４】
なお、上記電気抵抗発熱体３の断面形状は円形、楕円または四辺形でもよい。
【００１５】
また、上記電気抵抗発熱体３の各波高部５に夫々上記支持ピン７を固定する以外に、上記電気抵抗発熱体３の炉壁に対向する面であればどこにでも上記支持ピン７を固定してもよく、また、溶接する支持ピンの数、位置を変えてもよい。
【００１６】
また、上記電気抵抗発熱体３を上記炉壁１に確実に固定するために、上記炉壁１内に埋め込む支持ピン７の形状を鍵型としてもよい。
【図面の簡単な説明】
【００１７】
【図１】本発明の電気炉の要部の斜視図である。
【図２】本発明の電気炉の拡大縦断側面図である。
【図３】従来の電気炉の要部の斜視図である。
【符号の説明】
【００１８】
１  断熱炉壁
２  溝
３  電気抵抗発熱体
４  底
５  波高部
６  両側壁
７  支持ピン
【図１】
2005241135.tif 000003
【図２】
2005241135.tif 000004
【図３】
2005241135.tif 000005
(57)【要約】【課題】わずかな電気代で、気流感のない心地良い快適な涼しさを味わいながら眠ることができる、就寝用クーラーシステムを提供する。【解決手段】寝床面１０との間に就寝用空間部１１を形成するように寝床面１０を上方からカバーする風洞形天蓋９が備えられ、該風洞形天蓋９内に通される冷風の作用で、就寝用空間部１１が輻射冷房されるようになされている。【選択図】      図１
2005241150.tif 000002
【特許請求の範囲】
【請求項１】
寝床面との間に就寝用空間部を形成するように寝床面を上方からカバーする風洞形天蓋が備えられ、該風洞形天蓋内に通される冷風の作用で、前記就寝用空間部を輻射冷房するようになされていることを特徴とする就寝用クーラーシステム。
【発明の詳細な説明】
【技術分野】
【０００１】
本発明は、就寝用クーラーシステムに関する。
【背景技術】
【０００２】
夏期就寝時に、備付けのエアコンで寝室全体を冷房することは、従来より行われている。
【発明の開示】
【発明が解決しようとする課題】
【０００３】
しかしながら、備付けのエアコンによる冷房は室内全体の空気を動かし、その気流感でなかなか寝付けないことがある。また、寝室全体を冷房するため、電気代も高くつく。
【０００４】
本発明は、上記のような問題点に鑑み、わずかな電気代で、気流感のない心地良い快適な涼しさを味わいながら眠ることができる、就寝用クーラーシステムを提供することを課題とする。
【課題を解決するための手段】
【０００５】
上記の課題は、寝床面との間に就寝用空間部を形成するように寝床面を上方からカバーする風洞形天蓋が備えられ、該風洞形天蓋内に通される冷風の作用で、前記就寝用空間部を輻射冷房するようになされていることを特徴とする就寝用クーラーシステムによって解決される。
【０００６】
このクーラーシステムでは、冷房を輻射で行うようになされており、しかも、風洞形天蓋は、寝床面を上方からカバーするように備えられているので、冷気が就寝用空間部に向けて効果的に輻射され、就寝用空間部で気流感のない心地良い快適な涼しさを味わいながら眠ることができる。しかも、寝床面と風洞形天蓋との間の就寝用空間部のみを局部的に冷房するものであるから、電気代も低く抑えられ、心地良い涼しさのなかで朝まで快適に眠ることができる。
【発明の効果】
【０００７】
本発明の就寝用クーラーシステムは、以上のとおりのものであるから、わずかな電気代で、気流感のない心地良い快適な涼しさを味わいながら眠ることができる。
【発明を実施するための最良の形態】
【０００８】
次に、本発明の実施最良形態を図面に基づいて説明する。
【０００９】
図１及び図２に示す実施形態の就寝用クーラーシステムは、ベッド１に組み込まれており、該ベッド１は、ヘッドボード部２が、内部に室内側熱交換機とファンを備えたヒートポンプ式エアコンの室内機で構成されており、図２（ロ）に示すように、側部低所の吸込み口３から吸い込まれた室内の空気が、内部で冷やされた後、上端上面部の吹出し口４から吹き出すようになされている。なお、５は冷媒配管である。
【００１０】
また、フットボード部６には、その上端上面部に空気の受け口７が設けられると共に、側部に吹出し口８が設けられ、受け口７から取り入れられた空気が吹出し口８を通じて室内に吹き出すようになされている。
【００１１】
そして、図２（イ）に示すように、ヘッドボード部２の上端部に風洞形天蓋９の一端がジョイントされて吹出し口４が風洞形天蓋９内に連通されると共に、フットボード部６の上端部に風洞形天蓋９の他端がジョイントされて空気受け口７が風洞形天蓋９内に連通され、ヘッドボード部２の吹出し口４から吹き出す冷気が風洞形天蓋９内を通じてフットボード部６の空気受け口７に送り込まれていくようになされている。
【００１２】
風洞形天蓋９は、ベッド１の寝床面１０との間に就寝用空間部１１を形成するように寝床面１０を上方からカバーするもので、布などの柔軟で軽量な材料を扁平な筒状に形成したものからなっており、上記のように、両端をそれぞれヘッドボード部２の上端部とフットボード部６の上端部にジョイントすることで、ヘッドボード部２の吹出し口４から吹き出す冷気で上に凸となるように膨らみ、風洞形天蓋９と寝床面１０との間に就寝用空間部１１が形成されるようになされている。
【００１３】
上記の就寝用クーラーシステムでは、エアコンを駆動してヘッドボード部２の吹出し口４から風洞形天蓋９内に冷風を送り込むと、図１に示すように、風洞形天蓋９が上に凸に膨らんで、寝床面１０と風洞形天蓋９との間に就寝用空間部１１が形成される。そして、この就寝用空間部１１は、風洞形天蓋９内に通される冷風の作用で、輻射冷房され、寝床面１０に横になった者は、気流感のない心地良い快適な涼しさを味わいながら眠ることができる。しかも、寝床面１０と風洞形天蓋９との間の就寝用空間部１１のみを局部的に冷房するものであるから、電気代も低く抑えられ、心地良い涼しさのなかで朝まで快適に眠ることができる。
【００１４】
しかも、風洞形天蓋９を通過した冷気は室内に吹き出すようになされているので、室内も穏やかに冷やされ、室内と就寝用空間部１１との行き来を容易にすることができる。
【００１５】
以上に、本発明の実施形態を示したが、本発明はこれに限られるものではなく、発明思想を逸脱しない範囲で各種の変更が可能である。例えば、上記の実施形態では、風洞形天蓋が布などの柔軟な材料で構成されている場合を示したが、金属や樹脂などの硬質材で構成されていてもよい。また、風洞形天蓋内に通される冷風は、就寝用空間部を輻射冷房する冷源となりうるものであればよく、ヒートポンプでつくられる冷風以外の冷風であってもよい。更に、上記の実施形態では、本発明のクーラーシステムをベッドに組み込んだ場合を示したが、畳に布団を敷いて形成される寝床面に対して適用できるよう構成することも可能である。また、冬期に暖房運転を行える場合は、風洞形天蓋を外し、室全体を暖房するようにしてもよいし、あるいは、風洞形天蓋に温風を通して就寝用空間部を輻射暖房するようにしてもよい。
【図面の簡単な説明】
【００１６】
【図１】実施形態の就寝用クーラーシステムの作動状態を示す断面側面図である。
【図２】図（イ）は同斜視図、図（ロ）は風洞形天蓋を取り外した状態の斜視図である。
【符号の説明】
【００１７】
９…風洞形天蓋
１０…寝床面
１１…就寝用空間部
【図１】
2005241150.tif 000003
【図２】
2005241150.tif 000004